(57)【要約】【課題】指輪の内径を素速く変化させることができ，装着及び取り外しに時間が掛からない指輪を提供する。【解決手段】リング状部材が左右に分割された円弧状の一対のリング分割片１１,１２と，一対のリング分割片１１,１２の一側端部１１Ａ，１２Ａを互いに回動自在に連結する蝶番２６,２７等とを備え，一対のリング分割片１１，１２の一側端部１１Ａ,１２Ａには，互いに同極の第一の磁石対１９,２０が設けられ，一対のリング分割片１１,１２の他側端部１１Ｄ,１２Ｄには，互いに異極である第二の磁石対２８,２９が設けられている。【選択図】図３
2010022698.tif 000002
【特許請求の範囲】
【請求項１】
リング状部材が左右に分割された円弧状の一対のリング分割片と、前記一対のリング分割片の一側端部を互いに回動自在に連結する蝶番とを備え、
前記一対のリング分割片の一側端部には互いに同極の第一の磁石対が設けられ、
前記一対のリング分割片の他側端部には互いに異極である第二の磁石対が設けられていることを特徴とする指輪
【請求項２】
前記一対のリング分割片の一側端部は前記リング状部材の半径方向に対して斜めにカットされ、前記蝶番で互いに結合したとき、当該一対のリング分割片の一側端部間には隙間が形成されることを特徴とする請求項１に記載の指輪。
【請求項３】
前記第一の磁石対は、前記カットされた面に埋め込まれていることを特徴とする請求項２に記載の指輪。
【請求項４】
前記一対のリング分割片の他側端部は前記リング状部材の半径方向に沿ってカットされ、前記第二の磁石対は、前記カットされた面に埋め込まれていることを特徴とする請求項１、２又は３に記載の指輪。
【請求項５】
前記一対のリング分割片の他側端部は前記リング状部材の半径方向に沿ってカットされ、前記カットされた面のうち、一方の面にはピンが、他方の面には前記ピンが嵌合する孔がそれぞれ設けられ、
前記第二の磁石対は、前記ピンの先端部及び前記孔の奥部にそれぞれ埋め込まれていることを特徴とする請求項１、２又は３に記載の指輪。
【発明の詳細な説明】
【技術分野】
【０００１】
本発明は指輪に係り、特に、指の太さに応じて所定範囲で内径寸法を調節することが可能な指輪に関する。
【背景技術】
【０００２】
一般に、指輪を購入する際には、装着したい指の最も太い部分（例えば、第２関節周辺）を基準として指輪の号数が決定される。
【０００３】
ところで、上記従来の指輪では、号数に応じて指輪の内径が定められており、指輪の内径は一定である。このため、指の最も太い部分と比べて細い部分（例えば、第２関節と第３関節との間）に指輪を装着すると、指輪の内面と指との間に僅かな隙間が生じて指輪が回転してしまうという問題があった。
【０００４】
そこで、指輪を円周方向に沿って複数個に分割し、その分割片の一側に、内面に凹凸を有する溝を形成するとともに、他側に前記溝に係合するピン状突起を設け、ピン状突起を溝内の任意の位置に係止させることにより、内径を変化させることのできる指輪が提案されている（例えば、特許文献１参照）。
【０００５】
【特許文献１】特開２００８―２３０００２号公報
【発明の開示】
【発明が解決しようとする課題】
【０００６】
しかしながら、上記特許文献１の技術では、指輪の内径を変化させる際に、複数個の分割片のうち一つは固定しなければならないが、指輪が指に装着されている方の手は自由に動かすことができず、そのため、指で指輪をしっかりと固定するのに手間取って、指輪の内径を変化させるのに非常に時間が掛かる。
【０００７】
特に、一般の人の指は、朝よりも夕方に浮腫む傾向にあり、指全体が太くなっている上、上述したように第２関節の部分が最も太いため、指輪の内径を大きくしないと、指輪が非常に外しにくくなるが、上記のように指輪の内径を変化させるのに時間が掛かる構造では問題である。
【０００８】
また、リューマチなどを患っている人は指の関節の自由が利かず、指輪の装着や取り外しの際に、指輪の内径を変化させるのに時間が掛かっていては、指輪の使用を諦めてしまう場合さえある。
【０００９】
本発明の課題は、指輪の内径を素速く変化させることができ、装着及び取り外しに時間が掛からない指輪を提供することにある。
【課題を解決するための手段】
【００１０】
上記課題を解決するために、本発明は、リング状部材が左右に分割された円弧状の一対のリング分割片と、前記一対のリング分割片の一側端部を互いに回動自在に連結する蝶番とを備え、前部一対のリング分割片の一側端部には互いに同極の第一の磁石対が設けられ、前記一対のリング分割片の他側端部には互いに異極である第二の磁石対が設けられていることを特徴としている。
【００１１】
上記構成によれば、一対のリング分割片の一側端部には第一の磁石対が設けられ、一対のリング分割片の他側端部には第二の磁石対が設けられているので、指に装着していない状態では、一対のリング分割片の一側端部には互いに離れようとする力（つまり反発力）が作用し、一対のリング分割片の他側端部には互いに接近しようとする力（つまり吸引力）が作用する。
【００１２】
そして、指輪を指に装着するとき、または指から取り外すときは、指の最も太い部分では、一対のリング分割片の他側端部は前記吸引力に抗して互いに離され、逆に、一対のリング分割片の一側端部には前記反発力に抗して互いに接近させる方向の力が作用する。また、指の最も太い部分を通過後、指の細い部分では、一対のリング分割片の他側端部は、前記吸引力によって互いに接近し、逆に、一対のリング分割片の一側端部には前記反発力によって互いに離れる方向の力が作用する。
【００１３】
このように上記構成の指輪においては、指輪を指に装着するとき、または指から取り外すときに、第一の磁石対による反発力と第二の磁石対による吸引力との相乗効果によって、一対のリング分割片の他側端部が離れたり接近したりし、これにより、指輪の内径が指の太さに応じて容易に変化する。
【００１４】
また、本発明は、前記一対のリング分割片の一側端部は前記リング状部材の半径方向に対して斜めにカットされ、前記蝶番で互いに結合したとき、当該一対のリング分割片の一側端部間には隙間が形成されることを特徴としている。
【００１５】
このように構成すれば、一対のリング分割片は蝶番で大きく回動することが可能となり、その結果、指輪の内径を大きく変化させることができる。
【００１６】
そして、本発明では、前記第一の磁石対は、前記カットされた面に埋め込まれていることを特徴としている。
【００１７】
また、本発明は、前記一対のリング分割片の他側端部は前記リング状部材の半径方向に沿ってカットされ、前記第二の磁石対は、前記カットされた面に埋め込まれていることを特徴としている。
【００１８】
このように構成すれば、カットされた面を容易に密着させることができる。
【００１９】
さらに、本発明は、前記一対のリング分割片の他側端部は前記リング状部材の半径方向に沿ってカットされ、前記カットされた面のうち、一方の面にはピンが、他方の面には前記ピンが嵌合する孔がそれぞれ設けられ、前記第二の磁石対は、前記ピンの先端部及び前記孔の奥部にそれぞれ埋め込まれていることを特徴としている。
【００２０】
このように構成すれば、一対のリング分割片の他側端部は、相手をガイドしつつ且つ相手にガイドされながら、互いに離れたり接近したりするので、一対のリング分割片の他側端部の接離動作（離れたり接近したりする動作）が正確となる。
【発明の効果】
【００２１】
本発明によれば、指輪を指に装着するとき、または指から取り外すときに、一対のリング分割片の他側端部が離れたり接近したりすることによって、指の太さに応じて指輪の内径を素速く変化させることができ、その結果、装着及び取り外しに時間が掛からない指輪を実現することができる。
【発明を実施するための最良の形態】
【００２２】
以下、本発明の実施例を図面に従って説明する。
【実施例１】
【００２３】
図１は、本発明に係る指輪の外観斜視図である。図１に示すように、この指輪１０は、リング状部材が左右に分割された円弧状の一対のリング分割片１１、１２と、一対のリング分割片１１、１２の一側端部１１Ａ、１２Ａを互いに回動自在に連結する蝶番１３とを備えている。リング分割片１１、１２の断面は矩形を成している。
【００２４】
リング分割片１１の一側端部１１Ａには、図２に示すように、その端面１１Ｂより突出した板状の２つの突出部１４Ａ、１４Ｂがリング分割片１１に一体的に設けられている。突出部１４ Ａ、１４Ｂの各先端部は円弧状に加工されている。また、突出部１４Ａ、１４Ｂはリング分割片１１の端面１１Ｂの下部に設けられ、突出部１４Ａ、１４Ｂにはそれぞれ貫通孔１５が設けられている。リング分割片１１の一側端部１１Ａは端面１１Ｂの下部にアール（Ｒ）部１１Ｃが形成され、このアール部１１Ｃ付近には端面１１Ｂに平行に貫通孔１６が設けられている。
【００２５】
一方、リング分割片１２の一側端部１２Ａにも、その端面１２Ｂの下部にアール（Ｒ）部１２Ｃが形成されている。このアール部１２Ｃには２つの溝１７Ａ、１７Ｂが設けられている。これら溝１７Ａ、１７Ｂは、リング分割片１１側の突出部１４Ａ、１４Ｂにそれぞれ対向配置されている。アール部１２Ｃには端面１２Ｂに平行に貫通孔１８が設けられている。この貫通孔１８は溝１７Ａ、１７Ｂを貫通して設けられている。
【００２６】
また、リング分割片１１の端面１１Ｂ及びリング分割片１２の端面１２Ｂは、図３に示すように、リング分割片１１の半径方向に対して斜めにカットされ、リング分割片１１とリング分割片１２を連結したとき、端面１１Ｂの上部と端面１２Ｂの上部との間には隙間Ｓが形成されるようになっている。
【００２７】
斜めにカットされた端面１１Ｂには小円形の２個の磁石（永久磁石）１９が埋め込まれている。これら２個の磁石１９は貫通孔１６に沿って配置されている。また、斜めにカットされた端面１２Ｂにも小円形の２個の磁石２０が埋め込まれている（図２参照）。これら２個の磁石２０は貫通孔１８に沿って配置されている。磁石１９、２０は同極の磁石であって、例えば、双方ともＳ極か、または双方ともＮ極の磁石である。なお、磁石１９、２０は第一の磁石対を構成している。
【００２８】
また、図２に示すように、リング分割片１１とリング分割片１２との連結部をカバーするカバー部材２１が設けられている。このカバー部材２１は断面コ字状を成し、側壁２１Ａ、２１Ｂと、側壁２１Ａ、２１Ｂを繋ぐ上壁２１Ｃとを備えている。カバー部材２１には、リング分割片１１とリング分割片１２とを連結したときの、リング分割片１１の貫通孔１６の位置及びリング分割片１２の貫通孔１８の位置に対応して、側壁２１Ａに貫通孔２２、２３が、側壁２１Ｂに貫通孔２４、２５が各々設けられている。なお、カバー部材２１の上壁２１Ｃ上に石（宝石）が取り付けられる。
【００２９】
図２において、リング分割片１１とリング分割片１２とを互いに連結する場合、突出部１４Ａを溝１７Ａに、突出部１４Ｂを溝１７Ｂにそれぞれ嵌合してから、カバー部材２１をリング分割片１１及びリング分割片１２に填め込む。そして、カバー部材２１の貫通孔２２、２４をリング分割片１１の貫通孔１６に、カバー部材２１の貫通孔２３、２５をリング分割片１２の貫通孔１８にそれぞれ位置合わせした後、貫通孔２２、１６及び２４にピン２６（図３参照）を圧入するとともに、貫通孔２３、１８及び２５にピン２７（図３参照）を圧入する。
【００３０】
なお、本実施例では、突出部１４Ａ、１４Ｂ、溝１７Ａ、１７Ｂ、カバー部材２１、及びピン２６、２７等は蝶番１３を構成している。この場合、突出部１４Ａ、１４Ｂはリング分割片１１に一体的に形成されているので、リング分割片１１はピン２６周りには回動しないが、突出部１４Ａ、１４Ｂは溝１７Ａ、１７Ｂに回動自在に嵌合され、リング分割片１１はピン２７周りには回動可能である。リング分割片１２もピン２７周りに回動可能である。
【００３１】
リング分割片１１、１２の他側端部１１Ｄ、１２Ｄは、図３に示すように、リング分割片１１、１２の半径方向に沿ってカットされ、そのカットされた端面１１Ｅ、１２Ｅには、小円形の磁石（永久磁石）２８、２９がそれぞれ埋め込まれている。これら磁石２８、２９は互いに異極の磁石からなり、例えば、磁石２８がＮ極ならば、磁石２９はＳ極であり、逆に、磁石２８がＳ極ならば、磁石２９はＮ極である。なお、磁石２８、２９は第二の磁石対を構成している。
【００３２】
次に、本実施例の作用について説明する。
【００３３】
リング分割片１１の一側端部１１Ａの端面１１Ｂには磁石１９が、リング分割片１２の一側端部１２Ａの端面１２Ｂには磁石２０がそれぞれ埋め込まれ、これら磁石１９、２０は互いに同極の磁石であるから、リング分割片１１の一側端部１１Ａとリング分割片１２の一側端部１２Ａとの間には、互いに離れようとする力（つまり反発力）が常に作用している。また、リング分割片１１の他側端部１１Ｄの端面１１Ｅには磁石２８が、リング分割片１２の他側端部１２Ｄの端面１２Ｅには磁石２９がそれぞれ埋め込まれ、これら磁石２８、２９は互いに異極の磁石であるから、リング分割片１１の他側端部１１Ｄとリング分割片１２の他側端部１２Ｄとの間には、互いに接近しようとする力（つまり吸引力）が常に作用している。
【００３４】
そして、指輪を指に装着するとき、または指から取り外すときは、指の最も太い部分では、図４に示すように、リング分割片１１の他側端部１１Ｄとリング分割片１２の他側端部１２Ｄは前記吸引力に抗して互いに離され、逆に、リング分割片１１の一側端部１１Ａ及びリング分割片１２の一側端部１２Ａには、前記反発力に抗して互いに接近させる方向の力が作用する。
【００３５】
また、指の最も太い部分を通過後、指の細い部分では、図３に示すように、リング分割片１１の他側端部１１Ｄとリング分割片１２の他側端部１２Ｄは、前記吸引力によって互いに接近し、逆に、リング分割片１１の一側端部１１Ａ及びリング分割片１２の一側端部１２Ａには前記反発力によって互いに離れる方向の力が作用する。
【００３６】
このように本実施例の指輪においては、指輪を指に装着するとき、または指から取り外すときに、リング分割片１１、１２の一側端部１１Ａ、１２Ａにそれぞれ設けられた磁石１９、２０による反発力と、リング分割片１１、１２の他側端部１１Ｄ、１２Ｄに設けられた磁石２８、２９による吸引力との相乗効果によって、一対のリング分割片１１、１２の他側端部１１Ｄ、１２Ｄが互いに離れたり接近したりし、これにより、指輪の内径が指の太さに応じて容易に変化する。そのため、指輪を指に装着するとき、または指から取り外す際の時間を短縮することができる。
【００３７】
本実施例によれば、リングを開いたとき、つまり、リング分割片１１の他側端部１１Ｄとリング分割片１２の他側端部１２Ｄとを互いに離したとき、一側端部１１Ａ、１２Ａには磁石１９、２０による反発力が生じ、他側端部１１Ｄ、１２Ｄには磁石２８、２９による吸引力が作用するため、これら反発力と吸引力の相乗効果によって、開いたリングの戻りが非常にスムーズになる。
【００３８】
また、反発力を生じる磁石１９、２０と吸引力を生じる磁石２８、２９を用いることにより、バネを使わなくてもリングのスムーズな戻りが実現できるので、構造が簡単になるとともに、故障も少ない。
【実施例２】
【００３９】
図５及び図６は実施例２を示している。本実施例では、実施例１の場合と同様、リング分割片１１、１２の他側端部がリング分割片１１、１２の半径方向に沿ってカットされている。
【００４０】
本実施例の特徴的部分は、前記カットされた端面のうち、端面１２Ｅには直線状のピン状部材３０が、端面１１Ｅにはピン状部材３０が嵌合する孔３１がそれぞれ設けられている。孔３１の内径は、ピン状部材３０の外径よりも大きめに設定されている。このようにすれば、ピン状部材３０が孔３１の内部で引っ掛かってしまうのを防ぐことができる。
【００４１】
そして、ピン状部材３０の先端部に磁石３２が、孔３１の奥部に磁石３３がそれぞれ埋め込まれている。磁石３２、３３は互いに異極の磁石であって、例えば、ピン状部材３０の先端部の磁石３２がＮ極、孔３１の奥部の磁石３３がＳ極に、またはピン状部材３０の先端部の磁石３２がＳ極、孔３１の奥部の磁石３３がＮ極になっている。なお、磁石３２、３３は第二の磁石対を構成している。他の構成は実施例１の場合と同様である。
【００４２】
本実施例によれば、一対のリング分割片１１、１２の他側端部１１Ｄ、１２Ｄは、ピン状部材３０及び孔３１によって、相手をガイドしつつ且つ相手にガイドされながら、互いに離れたり接近したりするので、他側端部１１Ｄ、１２Ｄの接離動作が正確となる。
【００４３】
以上、本発明の実施例を図面により詳述してきたが、上記各実施例は本発明の例示にしか過ぎないものであり、本発明は上記各実施例の構成にのみ限定されるものではない。本発明の要旨を逸脱しない範囲の設計の変更等があっても、本発明に含まれることは勿論である。
【００４４】
例えば、実施例２において、ピン状部材３０を直線状としたが、ピン状部材３０を円弧状に形成し、さらに孔３１も円弧状に形成しても良い。このようにすれば、リング分割片１１、１２の他側端部１１Ｄ、１２Ｄが離れたり接近したりする動作がよりスムーズとなる。
【００４５】
また、実施例１，２において、突出部１４Ａ，１４Ｂは、リング分割片１１に一体的に形成されるようにしたが、別体で形成されるようにしてもよい。
【図面の簡単な説明】
【００４６】
【図１】本発明に係る指輪の外観斜視図である。
【図２】リング分割片の一側端部及びカバー部材の分解斜視図である。
【図３】実施例１による指輪の要部構成を示しており、リング分割片の他側端部が閉じている場合の指輪の平面図である。
【図４】図３において、リング分割片の他側端部が開いている場合の指輪の平面図である。
【図５】実施例２による指輪の要部構成を示しており、リング分割片の他側端部が閉じている場合の指輪の平面図である。
【図６】図５において、リング分割片の他側端部が開いている場合の指輪の平面図である。
【符号の説明】
【００４７】
１０  指輪
１１，１２  リング分割片
１１Ａ,１２Ａ  一側端部
１１Ｂ,１２Ｂ  端面
１Ｄ,１２Ｄ  他側端部
１１Ｅ,１２Ｅ  端面
１３  蝶番
１９,２０  磁石（第一の磁石対）
２１  カバー部材
２６,２７  ピン
２８,２９  磁右（第二の磁石対）
３０  ピン状部材
３１  孔
３２,３３  磁石（第二の磁石対）
【図１】
2010022698.tif 000003
【図２】
2010022698.tif 000004
【図３】
2010022698.tif 000005
【図４】
2010022698.tif 000006
【図５】
2010022698.tif 000007
【図６】
2010022698.tif 000008